【事件の表示】
　特願２００１−５１３１８２「ウェーブレットを使用したビデオ圧縮方法」拒絶査定不服審判事件〔平成１３年　２月　１日国際公開、ＷＯ０１／０８４１８、平成１５年　２月１２日国内公表、特表２００３−５０５９９１〕について、次のとおり審決する。
【結　論】
　本件審判の請求は、成り立たない。
【理　由】
１．手続きの経緯、本願発明
　本願は、平成１２年７月２０日（パリ条約による優先権主張１９９９年７月２３日、米国）を国際出願日とする出願であって、その特許請求の範囲の請求項１ないし２５に係る各発明は、平成１４年６月１８日付け、平成１８年８月７日付け及び平成１９年５月２２日付け手続補正書により補正された明細書および図面の記載からみて、請求項１ないし２５にそれぞれ記載されたとおりのものであると認められるところ、請求項１７に係る発明は次のとおりのものである。
「各データ要素が複数のビット位置を占める複数のデータ要素を含むデータを圧縮する方法において、
　前記複数のビット位置から１つのビット位置を選ぶステップと、
　前記ビット位置で、前記データの部分を構成する前記データ要素を検査するステップと、
　前記データの前記部分を構成する前記データ要素の各々が前記ビット位置で第１のビット値を含む場合に、前記ビット位置で前記データの前記部分を構成する前記データ要素を代表する少なくとも１ビットを出力するステップ
　とを含むことを特徴とする方法。」
　
２．引用例
（１）これに対して、原査定の拒絶の理由で引用した特開平９−３２７０１８号公報（以下「引用例１」という。）には、次のとおりの記載がなされている。
　
（ａ）【発明の属する技術分野】
　本発明は、画像符号化装置及び画像復号化装置に関し、特に、ウェーブレット変換を用いる画像符号化装置及び画像復号化装置に関する（段落【０００１】）。
　
（ｂ）【従来の技術】
　通常用いられるファクシミリ装置や画像蓄積装置などで扱われる画像データは、白黒２値の画像データであるが、近年、１画素当り複数の階調で記録できるような電子写真記録方式の技術等が実用化されてきたため、蓄積時や伝送時に多値画像データを用いることが考慮されるようになってきた。
　多値画像データは、そのままでは情報量が多すぎて、記憶領域や通信容量を多く必要とするため、符号化圧縮して蓄積したり伝送したりする必要が有り、そのための様々な方法が考えられている。
　多値画像データの圧縮を行う際に用いられる符号化方式の１つとして、サブバンド符号化あるいはウェーブレット符号化と呼ばれる方式のものが知られている。サブバンド符号化は入力信号を複数の周波数帯域に分割し、帯域毎の情報量の偏りを利用して符号化効率を向上させるようにしたものである。
　また、ウェーブレット符号化はサブバンド符号化において低域側の帯域を再帰的に２分割し、階層化されたサブバンド分割を行い、サブバンド符号化と同様に帯域毎の情報量の偏りを利用して符号化効率を向上させるようにしたものである。
　特にウェーブレット符号化は、多階層にわたる縮小画像が復号時に自然に生成されるため、画像データがピラミッド構造を成し、そのためプログレッシブ（段階的に画質が向上していく）な再生表示が可能である特徴がある。
　ウェーブレット符号化を行う場合、最終的な符号量を削減するために、ウェーブレット変換後のデータにエントロピ符号化を適用する方法がある。このエントロピ符号化を行う際の一手法として、各ウェーブレット係数データをビットプレーンに展開し、ビットプレーン毎にエントロピ符号化を行う方法がある。（段落【０００２】ないし【０００７】）。
　
（ｃ）【発明の実施の形態】
　以下、添付図面を参照しながら本発明の実施の形態について詳細に説明する。なお、以下の説明においては本発明の実施の形態を第１ないし第８実施形態に分けて説明する。
　先ず、図１にビットプレーンの概念図を示す。同図に示すように、例えば８ビット／画素の多値画像データの場合、１画素分のデータを表す８ビットの２進数の同位のビットを集めた２値の画像８面（第０から第７ビットプレーン）に分解することができる。それぞれをビットプレーンと呼び、通常のビットプレーン符号化はそれぞれの面に対して２値用の符号化を行う。
　図２は、ビットプレーンデータのプレーン単位の符号化時の符号化順序について示している。図３は、ビットプレーンデータのライン単位符号化時の符号化順序について示している。図４は、ビットプレーンデータの画素単位符号化時の符号化順序について示している。なお、ここでは特に図示していないが、複数ライン単位に処理をする場合もある。
　それぞれの処理方法により、符号化時に必要なメモリ量は異なる。すなわち、プレーン単位の処理がもっとも多くメモリを必要とし、ドット単位の処理がもっとも少ないメモリで処理でき、ライン単位の処理では、その中間である（段落【００１８】ないし【００２１】）。
　
（ｄ）次に本発明の第１、第２、第３、第７及び第８実施形態に係る画像符号化装置の構成について図５を参照して説明する。
　同図において、入力された多値画像データは帯域分割手段５０１により帯域分割される。ここで、その帯域分割手段５０１における帯域分割方法の一例を図６を参照して説明する。同図において、主走査方向及び副走査両方向の双方にＨＰＦ（高域通過フィルタ）を用いた帯域データをＨＨ、主走査方向にＨＰＦ、副走査方向にＬＰＦ（低域通過フィルタ）を用いた帯域データをＨＬ、主走査方向にＬＰＦ、副走査方向にＨＰＦを用いた帯域データをＬＨ、主走査方向及び副走査方向の双方にＬＰＦを用いた帯域データをＬＬと表す。またフィルタリングの段階に応じて最初のフィルタリングによる帯域データを１××、２段目のフィルタリングによるデータを２××（×は、ＬまたはＨを表わす）という規則性で表示している。
　入力信号はまず主走査方向に関して高域通過フィルタ（以下ＨＰＦ）と低域通過フィルタ（以下ＬＰＦ）によりフィルタリングされ、フィルタリングされたそれぞれのデータは、フィルタリングされた方向である主走査方向に２分の１サブサンプリングされる。主走査方向にフィルタリングされたそれらのデータは、次に副走査方向にＨＰＦ及びＬＰＦによりフィルタリングされて、さらに副走査方向に２分の１サプサンブリングされる。ＬＬデータに関しては再度同じ操作を行い、再帰的にフィルタリングを行っていく。その結果、第７図に示すように２次元に再帰的に分割された帯域データを得ることができる。
　そのようにして帯域分割手段５０１により得られた、再帰的に分割された帯域データはそれぞれグレイコード変換手段５０２によってグレイコード化された後、ビットプレーン展開手段５０３によりビットプレーンメモリ５０３ａないし５０３ｄに展開される。このビットプレーンメモリ５０３ａないし５０３ｄは、入力された多値画像データの構成ビット数分だけのビットプレーンメモリを表わしている。データ参照手段５０４は所定の手順によりビットプレーンメモリに展開されたデータから、情報として参照データと注目データを順次取りだし、エントロビ符号化手段５０５に入力する。エントロピ符号化手段５０５は前記参照データの情報を使用しながら、前記注目データを符号化し、符号データを出力する。なお、ビットプレーンメモリの必要量に関しては、必ずしも入力される帯域データすべての分のサイズを持つ必要はない。つまり、ある帯域データ、たとえば１ＨＨを処理する場合に、データが３分割されて入力される場合はメモリ量は１ＨＨのサイズの３分の１でよい。
　また、この場合のエントロピ符号化手段５０５としてのエントロピ符号器の一つとしてはたとえばＪＢＩＧにおけるＱＭ−Ｃｏｄｅｒのような算術符号器を適用できるが、注目データの予測確率を利用する、いわゆる予測符号化を行う符号器に関しては一般に本発明におけるデータ参照法を使用することができるため、エントロピ符号化手段５０５におけるエントロピ符号器は算術符号器に限ったものではない（段落【００２２】ないし【００２６】）。
　
（ｅ）次に、図５に示した画像符号化装置において、エントロピ符号化手段５０５としてのエントロピ符号器として算術符号器を使用した場合の、データ参照手段５０４及びエントロピ符号化手段５０５の詳細動作について、図８を用いて説明する。
　同図において、入力データはデータ参照手段５０４により参照データと注目データとしてエントロピ符号化手段５０５に入力される。データ参照手段５０４においては、テンプレート５０４ａにより入力されたデータのうち注目データに対して相対的に所定の位置にある参照データの状態を取り出す。取り出された状態が参照データとしてエントロピ符号化手段５０５中の確率評価器５０５ａに入力される。確率評価器５０５ａは参照データに応じて注目データの発生確率（０か１かの確率）を算出し、算術符号器５０５ｂに対して符号化パラメータである確率を入力する。算術符号器５０５ｂは確立評価器５０５ａからの確率に応じて注目データを符号化する。算術符号器５０５ｂは、内部状態に応じて確率評価器５０５ａに対して適応化情報を渡し、確率評価器５０５ａはその適応化情報に応じて、注目データの予測確率値を変更する。このとき、確率評価器５０５ａに対して入力される参照データがより適切なものであるほど（言い換えればデータの特徴を的確に抽出したものであるほど）、注目データの予測確率が正確に算出されることになり、その結果算術符号器５０５ｂにおける符号化効率が向上し圧縮率が向上する。すなわち、圧縮率向上のためにはデータ参照手段５０４のテンプレート５０４ａにおいて、どのような（どの位置の）周辺データの参照を行うかが重要となる。
　比較参考のために、図９にＪＢＩＧにおける３ラインテンプレートの形状を示す。正方形の枠内に×が記入されたものが注目画素を示し、周囲の正方形の各枠（合計１０個）が参照データである。ＪＢＩＧにおいてシーケンシャルな符号化を行う場合には、図９に示すようなテンプレートを用いて、周辺画素を参照し、参照位置における画素状態（ここでは１画素当り１か０の２状態を持ち、その２状態の参照データ数（１０個）について組み合わせは、２＾１０＝１０２４状態）を分離し、符号器に対し現在注目している画素の周囲画素の配列状態を通知する。
　２値の自然画像においては、上記のような形状のテンプレートが平均的に有効であが、ディザ処理が施された画像等に関しては、ディザ処理が施された画像の特徴をとらえた別の形状のテンプレートを用いる方が圧縮率を高くすることができる。同様に、本発明が対象とするウェーブレット変換後のデータをさらにグレイコード化したデータでは、必ずしも図９に示すようなテンプレート形状は有効ではない（段落【００２７】ないし【００３０】）。
　
　ここで、上記記載（ｂ）には、多値画像データは、そのままでは情報量が多すぎて、記憶領域や通信容量を多く必要とするため、符号化圧縮して蓄積したり伝送したりする必要が有り、そのための方法として、ウェーブレット符号化方式があり、前記ウェーブレット符号化を行う場合、最終的な符号量を削減するために、ウェーブレット変換後のデータにエントロピ符号化を適用する方法があること、また、このエントロピ符号化を行う際の一手法として、各ウェーブレット係数データをビットプレーンに展開し、ビットプレーン毎にエントロピ符号化を行う方法があることが記載されていると認められる。
　上記記載（ｃ）には、ビットプレーンの概念として、例えば８ビット／画素の多値画像データの場合、１画素分のデータを表す８ビットの２進数の同位のビットを集めた２値の画像８面（第０から第７ビットプレーン）に分解することができ、それぞれをビットプレーンと呼び、通常のビットプレーン符号化はそれぞれの面に対して２値用の符号化を行うことが記載されていると認められる。
　また、上記記載（ｄ）、（ｅ）には、入力された多値画像データは帯域分割手段により帯域分割され、分割された帯域データは、入力された多値画像データの構成ビット数分だけのビットプレーンメモリ５０３ａないし５０３ｄに展開され、当該ビットプレーンメモリに展開されたデータをビットプレーン毎に２値用の符号化であるエントロピ符号化圧縮して出力することが記載されていると認められる。
　
　そうすると、上記引用例１には、
「複数のウェーブレット係数データを含む多値画像データを符号化圧縮する方法であって、
　上記多値画像データの各ウェーブレット係数データは、複数のビット（例えば、８ビット）で構成され、上記複数のビットで構成されたウェーブレット係数データの２進数の同位のビットを集めた２値の画像データであるビットプレーンそれぞれにおいて２値用の符号化であるエントロピ符号化圧縮することを含む多値画像データを符号化圧縮する方法。」の発明（以下「引用発明」という。）が開示されているものと認められる。
　
（２）また、原査定の拒絶の理由に引用された、特開昭４９−９８１１１号公報（以下「引用例２」という。）には、次のことが記載されている。
（ｆ）発明の詳細な説明
　本発明は２値または多値の画像信号を予め約束された方法により原信号よりも少ないビット数に符号変換して伝送し、受信側では受信した符号を原信号に復号再生することにより伝送ビット数を低減し、従って伝送時間、短縮せんとするものである。伝送する画像信号が白レベルおよび黒レベルよりなる２値信号の場合、このような目的の符号変換法には従来より白レベルおよび黒レベルのランレングス（走査距離）を２進数に変換して伝送するランレングス符号化方法があるが、この方法は２進符号化したランレングスの他にそのランレングスが白であるか黒であるかを判別するための符号および２進符号化したランレングス符号の長さを定めるための符号または規則を設ける必要があり、符号に無駄が生じるという欠点の他、ランレングス符号に誤りを生じると、その誤りの影響は誤りを生じた符号に続く全信号におよぶという欠点がある。また、ランレングスを表わす符号の長さが一定でないために、符号化、復号化のプロセスが複雑となる（第１頁右下欄５行ないし第２頁左上欄７行）。
　
（ｇ）本発明は画像信号をランレングス符号化せずに伝送し、しかも伝送ビット数が少なく、本質的に符号誤りの影響が少ない全く新規な符号化伝送方式を提供するものである。一般に文書等の画像信号では信号レベルを２値として伝送することができるが、その場合黒い部分の占める面積は白い部分の占める面積に比べて極めて少なく１／２０〜１／１００である。従って面積の少ない黒の含まれる部分の情報はこれをそのまま伝送しても、面積の大きい白い部分をできるだけ少ないビット数で表現して伝送すれば、全体の画像を少ないビット数で効率よく伝送することができる。本発明はＮ１、Ｎ２、Ｎ３・・・を１より大きい整数とし時間軸方向および振幅軸軸方向に量子化された符号列を定められたサンプル数よりなるブロックに区切って区切られたブロック内の符号列を時間軸方向にまずＮ１個の領域に等分割し、分割された各領域のうち、白レベルを表わす符号のみが含まれる領域には第１の符号（例えばこれを０とする）を与え、上記以外の領域には第２の符号（例えばこれを１とする）を与え、次に符号１が与えられた領域についてのみ、その領域を更にＮ２の領域に等分割し、前と同様の方法で分割された各領域に１または０の符号を与え、符号１が与えられた領域については更にこの操作を繰返して分割される領域があらかじめ定められたサンプル数の符号を含む単位領域となるまでこの分割を繰り返し、分割した各領域に与えた符号と最後に残った単位領域の符号と、ブロックの区切りをあらわす符号とを定められた順序に従って伝送し、受信側でこの符号を原信号に復号する画像信号の符号化伝送方式である（第２頁左上欄８行ないし第２頁右上欄１８行）。
　
（ｈ）本発明によれば、面積の大きい白の部分は分割により１ビットの符号０であらわされ、最後に残る領域（これを以下単位領域と名付ける）は黒を含む面積の小さい領域であるのでこれをそのまま伝送しても伝送ビット数はあまり増加せず全体としてはビット数の大幅な低減が行なえるものであり、単位領域の符号はランレングス符号化を行なっていないので、この符号に伝送誤りが生じてもその誤りの影響は、その部分にのみ影響するだけで走査線全体におよぶことはなく、伝送時間の大幅な圧縮が可能であるばかりでなく符号誤りによる画質損傷の少ない画像信号の伝送が実現できるものである（第２頁右上欄１９行ないし第２頁左下欄１１行）。
　
（ｉ）次に本発明の別の実施例を示そう。前述の実施例においては、１走査線の信号について分割符号化を行なったのであるが、本実施例では２走査線について分割符号化を行なうものである。一般に文書等をあらわす画像信号においては面積の大きい白い部分が全体のかなりの面積を占めており、このような白の部分は１走査線のみならず数本の走査線にまたがっている。従って分割する領域を１走査線の中に限らず、２走査線またはそれ以上の走査線にまたがって定める方が面積の大きい白い部分を表わすビット数をより低減することができる。２走査線の符号列を一緒に分割符号化する方法の具体例としては１次分割から４次分割迄は前述と同様に走査線方向に４分割するものとし、各分割領域に対する符号割当ては上下の２走査線に対して白レベルをあらわす符号のみが含まれる時は０を与え、それ以外は１を与えるものとし、最後に残る単位領域に４ビット×２走査線よりなる８ビットの２値符号を割当てる方法が考えられる（第６頁右下欄３行ないし第７頁左上欄１行）。
　
３．対比
　本願の請求項１７に係る発明（以下「本願発明」という。）と引用例１に記載された発明（以下「引用発明」という。）とを対比すると次のことが認められる。
（イ）本願発明でいう「データ」及び「データ要素」は、本願明細書の「【００２７】図６は圧縮したデータを提供する第１の方法を示すフローチャートである。図６に示されたステップは、上述したビデオ圧縮器２００、特にＡＤＫ圧縮器２０８によって実行される。ステップ６０１で、複数の要素を含むビデオデータは、入力データとして提供される。好ましい実施の形態では、ビデオデータが、上述された複合サブバンド分解に起因するウェーブレット係数（ビデオフレームの輝度、色度赤および色度青成分のそれぞれ）を含む。各ウェーブレット係数は入力データの別個の要素と考えられる。もちろん、入力データは、ウェーブレット係数以外のデータ型を含むかもしれない。ステップ６０２で、成分のうちの任意の１つに対応するデータ要素は、解析される初期の成分としてアクセスされる。好ましい実施の形態では、輝度成分が初期の成分である。」、「【００３０】図７を参照すると、“ＡＡｘ”と名付けられたデータ要素を構成すると表されたブロック７０４Ａがあり、ここで、ｘは“Ａ”、“Ｂ”、“Ｃ”、あるいは“Ｄ”のどれかであり得る。単純化のために、最上位ビット位置が最左端のビット位置（ビット位置２）で、最下位ビット位置が最右端のビット位置（ビット位置０）で、間に一つだけビット位置があり（ビット位置１）、それぞれのデータ要素は３ビットの大きさの値からなるものとする。」、「【００３５】ステップ６０８で、処理中のブロックが最小のブロック寸法を持っていない場合、処理はステップ６０９で継続する。ステップ６０９で、現在のブロックの各データ要素が解析ビット位置で最初のビット値を含むかどうか判断する。（好ましい実施の形態で、図６に示すように、第1のビット値は“０”ビット値であるのに対し、第２のビット値は“１”ビット値である。）その場合、ステップ６１４で、現在処理中のブロックの解析ビット位置のデータ要素のすべての代表として、第1のビット値（つまり“０”ビット値）が出力される。例えば、第1のブロック７０２Ａ内の各データ要素（つまり、ｘとｙの両方が、“Ａ”、“Ｂ”、“Ｃ”、あるいは“Ｄ”のどれかである要素“Ａｘｙ”）が、解析ビット位置で“０”ビット値を含むと仮定する。その後、一つの“０”ビットが解析ビット位置でのそれらのデータ要素のすべての出力代表として提供される。」との記載からすれば、それぞれ「ビデオデータ」、ビデオデータに含まれる「ウェーブレット係数」であると認められるところ、引用発明は、多値画像データを符号化圧縮する方法に係る発明であり、上記多値画像データは複数のウェーブレット係数データを含み、上記ウェーブレット係数データはそれぞれ複数のビット（例えば、８ビット）で構成されることから、引用発明の「多値画像データ」、複数のビット（例えば、８ビット）で構成される「ウェーブレット係数データ」が、本願発明の「データ」、「データ要素」に相当することは明らかである。そうすると、引用発明は、本願発明と同様に「各データ要素が複数のビット位置を占める複数のデータ要素を含むデータを圧縮する方法」に係るものであるといえる。
（ロ）引用発明では、複数のビット（例えば、８ビット）で構成されたウェーブレット係数データの２進数の同位のビットを集めた２値の画像データであるビットプレーンのそれぞれのビットプレーンにおいてエントロピ符号化圧縮するのであるから、引用発明の多値画像データを符号化圧縮する方法は、本願発明と同様に「複数のビット位置から１つのビット位置を選ぶステップ」を含むことは明らかである。
（ハ）本願発明では、上記「複数のビット位置から１つのビット位置を選ぶステップ」で選ばれたビット位置で、「前記データの部分を構成する前記データ要素を検査するステップと、前記データの前記部分を構成する前記データ要素の各々が前記ビット位置で第１のビット値を含む場合に、前記ビット位置で前記データの前記部分を構成する前記データ要素を代表する少なくとも１ビットを出力するステップとを含」み、上記各ステップを含む方法でデータを圧縮していると認められるところ、引用発明では、複数のビット（例えば、８ビット）で構成されたウェーブレット係数データの２進数の同位のビットを集めた（本願発明でいう「複数のビット位置から１つのビット位置を選ぶステップ」に対応）２値の画像データであるビットプレーンのそれぞれのビットプレーンにおいて、２値の画像データをエントロピ符号化圧縮していることから、本願発明と引用発明とは、いずれも、「複数のビット位置から１つのビット位置を選ぶステップ」を含み、当該ステップで選ばれたビット位置でデータを圧縮するステップを含むといえ、これらの点で共通するといえる。
　もっとも、本願発明では、上記データを圧縮するステップが、前記データの部分を構成する前記データ要素を検査するステップと、前記データの前記部分を構成する前記データ要素の各々が前記ビット位置で第１のビット値を含む場合に、前記ビット位置で前記データの前記部分を構成する前記データ要素を代表する少なくとも１ビットを出力するステップとを含むのに対し、引用発明では、上記データを圧縮するステップが、２値の画像データであるビットプレーンをエントロピ符号化圧縮するステップである点で相違する。
　
　以上の対比結果によれば、本願発明と引用発明との一致点、相違点は次のとおりであると認めることができる。
［一致点］
　両者は、いずれも
「各データ要素が複数のビット位置を占める複数のデータ要素を含むデータを圧縮する方法において、
　前記複数のビット位置から１つのビット位置を選ぶステップと、
　前記ビット位置で、前記データを圧縮するステップ
　とを含むことを特徴とする方法。」である点で一致する。
　
［相違点］
　上記データを圧縮するステップが、本願発明では、前記データの部分を構成する前記データ要素を検査するステップと、前記データの前記部分を構成する前記データ要素の各々が前記ビット位置で第１のビット値を含む場合に、前記ビット位置で前記データの前記部分を構成する前記データ要素を代表する少なくとも１ビットを出力するステップを含むものであるのに対し、引用発明では、２値の画像データであるビットプレーンをエントロピ符号化圧縮するステップである点。
　
４．判断
　そこで上記相違点について検討する。
　前記引用例２には、前記記載（ｆ）ないし（ｉ）に示されるとおり、２値の画像信号の符号変換に関し、
　２値の画像信号の符号列を複数（例えばＮ１個）の領域に等分割し、分割された各領域のうち、白レベルを表わす符号のみが含まれる領域には第１の符号（例えばこれを０とする）を与え、上記以外の領域には第２の符号（例えばこれを１とする）を与えること、次に、符号１が与えられた領域についてのみ、その領域を更にＮ２の領域に等分割し、前と同様の方法で分割された各領域に１または０の符号を与え、符号１が与えられた領域については更にこの操作を繰返して分割される領域があらかじめ定められたサンプル数の符号を含む単位領域となるまでこの分割を繰り返すこと、分割した各領域に与えた符号と最後に残った単位領域の符号と、ブロックの区切りをあらわす符号とを定められた順序に従って伝送する、２値の画像信号を少ないビット数に符号変換して伝送する符号化伝送方式が開示されており、当該符号化伝送方式は、上記のとおり２値の画像信号の符号列を複数の領域に等分割し、分割された各領域のうち、白レベルを表わす符号のみが含まれる領域に第１の符号（例えばこれを０とする）を与え、上記以外の領域には第２の符号（例えばこれを１とする）を与えるというのであるから、分割された各領域（部分）を構成する２値の画像信号の符号を検査するステップ、及び、分割された領域（部分）を構成する２値の画像信号の符号の各々が白レベルを表わす場合に、前記分割された領域（部分）を構成する符号を代表する第１の符号（例えば０）を出力するステップを含むことは明らかである。
　また、前記引用例２には、上記のような符号化伝送方式の採用によって２値の画像信号を原信号よりも少ないビット数に符号変換して伝送する、すなわち、２値の画像信号を符号化圧縮して伝送することが記載されている。
　
　引用発明では、上記のとおり、複数のビット位置から１つのビット位置を選ぶステップで選ばれたビット位置での２値の画像データであるビットプレーンをエントロピ符号化圧縮しているところ、２値の画像信号を符号化圧縮する手法として、分割された各領域（部分）を構成する２値の画像信号の符号を検査し、分割された領域（部分）を構成する２値の画像信号の符号の各々が白レベルを表わす場合に、前記分割された領域（部分）を構成する符号を代表する第１の符号（例えば０）を出力するステップを含む符号化圧縮手法が、上記のとおり引用例２に開示されており、このような２値の画像信号の符号化圧縮手法を、２値の画像信号の符号化圧縮として変わりのない引用発明の２値の画像データであるビットプレーンを符号化圧縮する手法として採用し、複数のビット位置から１つのビット位置を選ぶステップで選ばれたビット位置での２値の画像データであるビットプレーンの符号化圧縮を、２値の画像データの部分を構成するデータ要素（ウェーブレット係数データ）を検査するステップと、前記データの前記部分を構成する前記データ要素（ウェーブレット係数データ）の各々が前記ビット位置で第１のビット値を含む場合に、前記ビット位置で前記データの前記部分を構成する前記データ要素を代表する少なくとも１ビットを出力するステップを含む構成とすることは当業者が容易に想到し得たことであると認められる。
　また、本願発明の効果についてみても、上記構成の採用に伴って当業者が当然に予測し得る程度のものにすぎず、格別顕著なものがあるとはいえない。
　
５．むすび
　以上のとおり、請求項１７に係る本願発明は、引用例１及び引用例２に載された発明に基づいて当業者が容易に発明をすることができたものであるから、特許法第２９条第２項の規定により特許を受けることができない。
　したがって、本願は他の請求項に係る発明について特に検討するまでもなく拒絶されるべきものである。
　よって、結論のとおり審決する。